(57)【要約】【課題】容易に外フラップを内フラップに係合させることができる包装箱を提供する。【解決手段】  包装箱１は、一対の内フラップ１４に切り込まれた一対の内切込部２１と、一対の内切込部２１の突当り部２１Ｃ付近から一対の内フラップ１４の基端に向かって後方に傾斜するように延設された一対の逆折線Ｌ６と、前外フラップ１５の自由端側において左右方向の両端から互いに接近するように切り込まれた一対の外切込部２４と、を備え、開口部を閉塞する場合、一対の内フラップ１４と前外フラップ１５とがこの順に折り曲げられ、一対の内フラップ１４の後方が逆折線Ｌ６に沿って開口部を開く側に折り曲げられた状態で、前外フラップ１５の自由端側の両角部が一対の内切込部２１から一対の内フラップ１４の下側に進入し、一対の内フラップ１４の後方が自身の復元力で閉じられることで、一対の外切込部２４が一対の内切込部２１に噛み合う。【選択図】図３
0003232979.tif 000002
【実用新案登録請求の範囲】
【請求項１】
本体部（１Ｂ）に開口した開口部を一対の内フラップ（１４）と一対の外フラップ（１５，１６）とによって閉塞する包装箱（１）であって、
一対の前記内フラップの自由端から基端に向かって切り込まれた一対の内切込部（２１）と、
一対の前記内切込部の突当り部（２１Ｃ）付近から一対の前記内フラップの基端に向かって第１方向の一方に傾斜するように延設された一対の逆折線（Ｌ６）と、
第１方向の他方に位置する前記外フラップの自由端側において第１方向に直交する第２方向の両端から互いに接近するように切り込まれた一対の外切込部（２４）と、を備え、
前記開口部を閉塞する場合、一対の前記内フラップと第１方向の他方に位置する前記外フラップとがこの順に前記本体部に対して折り曲げられ、一対の前記内フラップの第１方向の一方が前記逆折線に沿って前記開口部を開く側に折り曲げられた状態で、前記外フラップの自由端側の両角部が一対の前記内切込部から一対の前記内フラップの下側に進入し、一対の前記内フラップの第１方向の一方が自身の復元力で閉じられることで、一対の前記外切込部が一対の前記内切込部に噛み合い、その後、第１方向の一方に位置する前記外フラップが前記本体部に対して折り曲げられることを特徴とする包装箱。
【請求項２】
各々の前記内切込部は、前記内フラップの自由端側の一部を切り欠くことで形成され、第１方向の一方の辺となる先端縁部（２１Ａ）と、第１方向の他方の辺となる基端縁部（２１Ｂ）と、を有し、
前記基端縁部は、第２方向に沿って延設され、
前記先端縁部は、前記突当り部から前記内フラップの自由端に向かって第１方向の一方に傾斜していることを特徴とする請求項１に記載の包装箱。
【請求項３】
一対の前記内フラップが折り曲げられる前に、前記本体部に被包装物（Ｍ）が収容され、
一対の前記内フラップは、折り曲げられると前記本体部に収容された前記被包装物に接触または近接することを特徴とする請求項１または２に記載の包装箱。
【請求項４】
各々の前記内フラップの第１方向の一方には、前記逆折線に沿って折り曲げる際に手を掛ける手掛け部（２２）が凹設または凸設されていることを特徴とする請求項１ないし３のいずれか１項に記載の包装箱。
【考案の詳細な説明】
【技術分野】
【０００１】
本考案は、本体部に開口した開口部を一対の内フラップと一対の外フラップとによって閉塞する包装箱に関する。
【背景技術】
【０００２】
一対の内フラップと一対の外フラップとで天面を全面封緘できる箱が知られている（特許文献１）。外フラップの先端左右両隅部はＬ字形に切り取られ、外フラップの先端中央部には凸型閉止部が形成されている。内フラップにはハンドリング孔および一対の切込溝が開設され、内フラップのハンドリング孔下方には側面に連接する折線に向かって広がるハ字形の切込線と、切込線の端と切込溝端とを結ぶ折曲線が形成されている。この箱を封緘する場合、内フラップの上面に外フラップを重ね、ハンドリング孔を介して内フラップの先端を引張りあげると、内フラップが湾曲し、一対の切込溝が外フラップの閉止部側縁に係合し、内外両フラップがロックされる。
【先行技術文献】
【特許文献】
【０００３】
【特許文献１】特許第４０５４９７６号公報
【考案の概要】
【考案が解決しようとする課題】
【０００４】
しかしながら、上記した箱では、外フラップの下側に位置する内フラップを引っ張り上げるために大きな力が必要になり、力の弱いユーザが容易に扱えるものではなかった。また、内フラップを引っ張り上げる際に、内フラップと外フラップとが互いに擦れて破損する虞もあった。
【０００５】
本考案は、上記事情を考慮し、容易に外フラップを内フラップに係合させることができる包装箱を提供する。
【課題を解決するための手段】
【０００６】
本考案は、本体部に開口した開口部を一対の内フラップと一対の外フラップとによって閉塞する包装箱であって、一対の前記内フラップの自由端から基端に向かって切り込まれた一対の内切込部と、一対の前記内切込部の突当り部付近から一対の前記内フラップの基端に向かって第１方向の一方に傾斜するように延設された一対の逆折線と、第１方向の他方に位置する前記外フラップの自由端側において第１方向に直交する第２方向の両端から互いに接近するように切り込まれた一対の外切込部と、を備え、前記開口部を閉塞する場合、一対の前記内フラップと第１方向の他方に位置する前記外フラップとがこの順に前記本体部に対して折り曲げられ、一対の前記内フラップの第１方向の一方が前記逆折線に沿って前記開口部を開く側に折り曲げられた状態で、前記外フラップの自由端側の両角部が一対の前記内切込部から一対の前記内フラップの下側に進入し、一対の前記内フラップの第１方向の一方が自身の復元力で閉じられることで、一対の前記外切込部が一対の前記内切込部に噛み合い、その後、第１方向の一方に位置する前記外フラップが前記本体部に対して折り曲げられる。
【０００７】
この場合、各々の前記内切込部は、前記内フラップの自由端側の一部を切り欠くことで形成され、第１方向の一方の辺となる先端縁部と、第１方向の他方の辺となる基端縁部と、を有し、前記基端縁部は、第２方向に沿って延設され、前記先端縁部は、前記突当り部から前記内フラップの自由端に向かって第１方向の一方に傾斜してもよい。
【０００８】
この場合、一対の前記内フラップが折り曲げられる前に、前記本体部に被包装物が収容され、一対の前記内フラップは、折り曲げられると前記本体部に収容された前記被包装物に接触または近接してもよい。
【０００９】
この場合、各々の前記内フラップの第１方向の一方には、前記逆折線に沿って折り曲げる際に手を掛ける手掛け部が凹設または凸設されてもよい。
【考案の効果】
【００１０】
本考案によれば、容易に外フラップを内フラップに係合させることができる。
【図面の簡単な説明】
【００１１】
【図１】本考案の一実施形態に係る包装箱を示す斜視図である。
【図２】本考案の一実施形態に係る包装箱のブランクを示す平面図である。
【図３】本考案の一実施形態に係る包装箱であって、内フラップと前外フラップとを仮止めする過程を示す斜視図である。
【図４】本考案の一実施形態に係る包装箱であって、内フラップと前外フラップとを仮止めした状態を示す斜視図である。
【図５】本考案の一実施形態に係る包装箱であって、後外フラップを閉じる過程を示す斜視図である。
【考案を実施するための形態】
【００１２】
以下、添付の図面を参照しつつ、本考案の実施形態について説明する。なお、図面に示すＦｒ、Ｒｒ、Ｌ、Ｒ、Ｕ、Ｄは、前、後、左、右、上、下を示している。前後方向、左右方向および上下方向は互いに直交している。本明細書では、前後方向が第１方向の一例であり、左右方向が第２方向の一例である。本明細書では方向や位置を示す用語を用いるが、それらの用語は説明の便宜のために用いるものであって、本考案の技術的範囲を限定するものではない。また、方向や位置を示す用語は、主に、包装箱を組み立てて使用する状態における方向や位置を基準にしている。
【００１３】
図１および図２を参照して、本実施形態に係る包装箱１について説明する。図１は包装箱１を示す斜視図である。図２は包装箱１のブランク１Ａを示す平面図である。
【００１４】
図１に示すように、包装箱１は、被包装物Ｍ（図３等参照）を収容する本体部１Ｂと、本体部１Ｂに開口した開口部を閉塞する複数のフラップ１４〜１６と、を備えている。包装箱１は、厚さ（高さ）を前後方向と左右方向との寸法よりも短くした薄い直方体状に形成されている。包装箱１は、例えば、郵便箱に投函可能に形成された所謂ポストイン・ボックスである。なお、包装箱１の高さは、一般的な郵便箱に投函可能な３０ｍｍ以下であることが好ましいが、本発明の技術範囲は、３０ｍｍを越える高さの包装箱１を除外するものではない。
【００１５】
包装箱１は、図２に示すブランク１Ａを組み立てることで形成される。ブランク１Ａは、１枚の紙製の段ボールシートを抜型等で打ち抜いて形成されている。段ボールシートは、例えば、波状の中しん９Ａに表ライナ９Ｂと裏ライナ９Ｃ（図３も参照）とを貼り合せた両面段ボールシートである。なお、図２は、表ライナ９Ｂ側（包装箱１の外面）を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１６】
［ブランク］
図２に示すように、ブランク１Ａは、底壁１０と、一対の側壁１１と、前壁１２と、後壁１３と、一対の内フラップ１４と、一対の外フラップ１５，１６と、を備えている。なお、一対の側壁１１および一対の内フラップ１４は、それぞれ、底壁１０を中心に段方向（左右方向）に線対称に形成されているため、以下、特に明記した場合を除き、１つの側壁１１および１つの内フラップ１４について説明する。
【００１７】
＜底壁、側壁、前壁、後壁＞
底壁１０は、段方向に長い略長方形状に形成されている。一対の側壁１１は、第１折曲線Ｌ１を介して底壁１０の段方向の両端に連設されている。前壁１２および後壁１３は、第２折曲線Ｌ２を介して底壁１０の流れ方向の両端に連設されている。側壁１１、前壁１２および後壁１３は、それぞれ略長方形状に形成されている。
【００１８】
＜内フラップ＞
一対の内フラップ１４は、第３折曲線Ｌ３を介して一対の側壁１１の段方向の先端に連設されている。内フラップ１４は、概ね長方形状に形成されている。内フラップ１４の流れ方向（第１方向）の一方には、側壁１１との境界（第３折曲線Ｌ３）に沿って差込穴２０が切り込まれている。内フラップ１４の流れ方向の両側を除く中間部は、段方向（第２方向）の外側に突き出し、幅広く形成されている。内フラップ１４（の幅広部分）には、内切込部２１および手掛け部２２が形成されている。また、内フラップ１４には、斜めに横断するように逆折線Ｌ６が形成されている。
【００１９】
（内切込部）
内切込部２１は、内フラップ１４の流れ方向の中央（差込穴２０）よりも他方（前方）に形成されている。内切込部２１は、内フラップ１４の自由端から基端に向かって切り込まれている。詳細には、内切込部２１は、内フラップ１４の自由端側の一部を略三角形状に切り欠くことで形成されている。内切込部２１は、流れ方向の一方（後方）の辺となる先端縁部２１Ａと、流れ方向の他方（前方）の辺となる基端縁部２１Ｂと、先端縁部２１Ａと基端縁部２１Ｂとを繋ぐ突当り部２１Ｃと、を有している。基端縁部２１Ｂは、概ね段方向と平行に延設されている。詳細には、基端縁部２１Ｂは、突当り部２１Ｃから内フラップ１４の自由端に向かって流れ方向の他方（前方）に僅かに傾斜している。先端縁部２１Ａは、突当り部２１Ｃから内フラップ１４の自由端に向かって流れ方向の一方（後方）に傾斜している。突当り部２１Ｃを通る段方向に平行な線を基準線とした場合、基準線に対する先端縁部２１Ａの傾斜角度は、基準線に対する基端縁部２１Ｂの傾斜角度よりも大きくなっている。突当り部２１Ｃは、内切込部２１の底縁であり、流れ方向に平行に形成されている。
【００２０】
（逆折線）
逆折線Ｌ６は、一対の内切込部２１の突当り部２１Ｃ付近から一対の内フラップ１４の基端に向かって流れ方向の一方（後方）に傾斜するように延設されている。詳細には、逆折線Ｌ６は、先端縁部２１Ａと突当り部２１Ｃとの交点と、差込穴２０の流れ方向の他端（前端）との間を結ぶように形成されている。逆折線Ｌ６は、段ボールシートを表ライナ９Ｂ側から厚み方向に潰した逆罫線である。逆折線Ｌ６は、表ライナ９Ｂを内側に向けるように段ボールシートを折り曲げる（逆折りする）機能を有している。なお、逆折線Ｌ６は、逆罫線に限らず、複数の切目を所定間隔に形成したミシン目等、段ボールシートを逆折り可能な構造であれば如何なるものでもよい。
【００２１】
（手掛け部）
手掛け部２２は、内切込部２１よりも流れ方向の一方（後方）、且つ差込穴２０に対向する位置において、内フラップ１４の自由端部に凹設されている。手掛け部２２は、内フラップ１４に形成された円弧状の窪みである。詳細は後述するが、手掛け部２２は、逆折線Ｌ６に沿って内フラップ１４を折り曲げる際に（ユーザが）手を掛ける部位となる。
【００２２】
＜外フラップ＞
一対の外フラップ１５，１６は、第４折曲線Ｌ４を介して前壁１２および後壁１３の流れ方向の先端に連設されている。なお、本明細書では、説明の便宜上、前壁１２に連設された（第１方向の他方に位置する）外フラップ１５を「前外フラップ１５」と呼び、後壁１３に連設された（第１方向の一方に位置する）外フラップ１６を「後外フラップ１６」と呼び、前外フラップ１５と後外フラップ１６とで共通する説明では、単に「外フラップ１５，１６」と呼ぶこととする。
【００２３】
＜前外フラップ＞
前外フラップ１５は、概ね長方形状に形成されている。前外フラップ１５の流れ方向の寸法は、底壁１０の流れ方向の寸法の半分程度とされている。
【００２４】
（外切込部）
前外フラップ１５の自由端側には、一対の外切込部２４が前外フラップ１５の流れ方向の両端から互いに接近するように切り込まれている。詳細に説明すると、前外フラップ１５の自由端側の両角部には、斜めに隅切りされて一対の外基端縁部２４Ｂが形成されている。前外フラップ１５の自由端の段方向の両側には、一対の係合突起部２３が流れ方向の外側に向かって突設されている。また、一対の係合突起部２３は段方向の両外側に向かって突き出すように形成され、各々の係合突起部２３の突き出し部分には外基端縁部２４Ｂとの間に外切込部２４を構成する外先端縁部２４Ａが形成されている。外基端縁部２４Ｂと外先端縁部２４Ａとは外突当り部２４Ｃを通る段方向に平行な基準線に対して線対称に傾斜しており、外切込部２４は略Ｖ字状に形成されている。
【００２５】
＜後外フラップ＞
後外フラップ１６は、略長方形状に形成されている。後外フラップ１６の流れ方向の寸法は、前外フラップ１５の流れ方向の寸法よりも長く設定されている。詳細は後述するが、包装箱１を組み立てた（封緘した）状態で、後外フラップ１６の自由端側は前外フラップ１５の自由端側に重なる。
【００２６】
（差込片）
後外フラップ１６の段方向の両端には、第５折曲線Ｌ５を介して一対の差込片２５が連設されている。各々の差込片２５は、流れ方向一方から他方に向かって徐々に段方向に幅広くなる滴状に形成されている。一対の差込片２５は、包装箱１を組み立てた（封緘した）状態で、一対の差込穴２０に差し込まれる
【００２７】
なお、第２折曲線Ｌ２、第３折曲線Ｌ３および第５折曲線Ｌ５は、段ボールシートを裏ライナ９Ｃ側から厚み方向に潰した汎用罫線である。また、第１折曲線Ｌ１および第３折曲線Ｌ３は、汎用罫線上に複数の切目を所定間隔に形成したリード罫である。汎用罫線やリード罫線は、裏ライナ９Ｃを内側に向けるように段ボールシートを折り曲げる（正折りする）機能を有している。なお、第１〜第５折曲線Ｌ１〜Ｌ５は、汎用罫線やリード罫に限らず、ミシン目等、段ボールシートを正折り可能な構造であれば如何なるものでもよい。
【００２８】
［包装箱の組立］
次に、図１、図３ないし図５を参照して、包装箱１の組立作業（封緘作業）について説明する。図３は内フラップ１４と前外フラップ１５とを仮止めする過程を示す斜視図である。図４は内フラップ１４と前外フラップ１５とを仮止めした状態を示す斜視図である。図５は後外フラップ１６を閉じる過程を示す斜視図である。ここでは、作業者が手作業で包装箱１を組み立てる場合の一例について説明する。
【００２９】
作業者は、ブランク１Ａの裏ライナ９Ｃを上方に向けた状態とし、例えば、３つの被包装物Ｍを左右方向に並べて底壁１０上に配置する（図３参照）。続いて、作業者は、一対の側壁１１を第１折曲線Ｌ１に沿って上方に折り曲げ、一対の内フラップ１４を第３折曲線Ｌ３に沿って内側に折り曲げる（図３参照）。一対の側壁１１は被包装物Ｍの左右方向の両側面に接触または近接し、一対の内フラップ１４は被包装物Ｍの上面の左右両側に接触または近接する。また、内フラップ１４の上面には、差込穴２０に沿って僅かな開口が形成される。なお、図３等では、一例として、３つの被包装物Ｍを左右方向に並べて配置したが、被包装物Ｍのサイズ、数、配置は自由に変更してもよい。
【００３０】
次に、図３に示すように、作業者は、前壁１２を第２折曲線Ｌ２に沿って上方に折り曲げ、前外フラップ１５を第４折曲線Ｌ４に沿って後方に折り曲げる（図３に実線で示す矢印参照）。前壁１２は、被包装物Ｍの前側面に接触または近接する。前外フラップ１５は、一対の内フラップ１４の表面に重なり、被包装物Ｍの上面の前側に接触または近接する。
【００３１】
以上によって、被包装物Ｍの三方（左、右、前）を囲む本体部１Ｂが形成され、本体部１Ｂの上面に開口した開口部の一部（左右両側および前側）が閉塞される。
【００３２】
ところで、上記したように折り曲げた各壁１１，１２，１４〜１６は固定されていないため、作業者が手を放すと、これらの壁１１，１２，１４〜１６は折曲部分の復元力（弾性力）によって展開されてしまう。本実施形態に係る包装箱１では、上記のような復元力による展開を防ぐために、一対の内フラップ１４と前外フラップ１５とが仮止めされる。
【００３３】
作業者は、一対の手掛け部２２に手（指）を掛けて一対の内フラップ１４の後方を引き上げる（図３に破線で示す矢印参照）。すると、一対の内フラップ１４の後方（第１方向の一方）が逆折線Ｌ６に沿って逆折りされる（開口部を開く側に折り曲げられる）。この状態で、作業者は、前外フラップ１５の自由端側の両角部（一対の係合突起部２３）を一対の内切込部２１から一対の内フラップ１４の下側に進入させる。
【００３４】
その後、作業者が一対の手掛け部２２から手を離すと、図４に示すように、一対の内フラップ１４の後方が自身の復元力（逆折線Ｌ６での折曲部分の復元力）で閉じられる（図４に一点鎖線で示す矢印参照）。すると、一対の外切込部２４が一対の内切込部２１に噛み合う。この状態で、内切込部２１の先端縁部２１Ａは前外フラップ１５（係合突起部２３）の表面上に配置され、内切込部２１の基端縁部２１Ｂは前外フラップ１５の裏面側に配置され、内切込部２１の突当り部２１Ｃは外切込部２４の外突当り部２４Ｃに接触または近接している。
【００３５】
以上によって、一対の内フラップ１４と前外フラップ１５とが仮止めされる（係合する）。
【００３６】
次に、作業者が後壁１３を第２折曲線Ｌ２に沿って上方に折り曲げると、後壁１３が被包装物Ｍの後側面に接触または近接する。これにより、本体部１Ｂが完成する。続いて、図５に示すように、作業者は、一対の差込片２５を第５折曲線Ｌ５に沿って前方（または下方）に折り曲げ、後外フラップ１６を第４折曲線Ｌ４に沿って前方に折り曲げる。後外フラップ１６は、一対の差込片２５を一対の内フラップ１４に開口した差込穴２０に差し込みながら本体部１Ｂに対して折り曲げられる。差込片２５が差込穴２０に完全に差し込まれると、後外フラップ１６は、一対の内フラップ１４と前外フラップ１５との表面に重なり、被包装物Ｍの上面に接触または近接する（図１参照）。なお、後外フラップ１６の先端側（前側）は、前外フラップ１５の先端側（後側）に積層されている。
【００３７】
以上によって、本体部１Ｂの開口部の全部が閉塞される（図１参照）。これにより、包装箱１は概ね封緘された状態になる。
【００３８】
最後に、図１に示すように、作業者は、後外フラップ１６から前外フラップ１５に渡るように送り状Ｓを貼付する。これにより、包装箱１が封緘される。
【００３９】
以上説明した本実施形態に係る包装箱１では、本体部１Ｂの開口部を閉塞する場合、一対の内フラップ１４と前外フラップ１５とがこの順に本体部１Ｂに対して折り曲げられ、一対の内フラップ１４の後方が逆折線Ｌ６で逆折りされた状態で、前外フラップ１５の自由端側の両角部が一対の内切込部２１から一対の内フラップ１４の下側に進入し、一対の内フラップ１４の後方が自身の復元力で閉じられることで、一対の外切込部２４が一対の内切込部２１に噛み合う構成とした。この構成によれば、一対の内フラップ１４の後方を逆折線Ｌ６で逆折りすることで、前外フラップ１５の両角部（一対の係合突起部２３）を、一対の内フラップ１４に干渉させることなく、一対の内フラップ１４の下側に差し込むことができる。また、逆折りされた一対の内フラップ１４が自然に元に戻ることで、外切込部２４を内切込部２１に噛み合わせることができる。これにより、前外フラップ１５を内フラップ１４に係合させる際に大きな力が不要となり、前外フラップ１５と内フラップ１４とが擦れて損傷することも抑制され、容易に前外フラップ１５を内フラップ１４に係合させることができる。
【００４０】
また、本実施形態に係る包装箱１によれば、内切込部２１の先端縁部２１Ａが突当り部２１Ｃから内フラップ１４の自由端に向かって後方に傾いて形成されているため、内フラップ１４を僅かに逆折りするだけで、容易に前外フラップ１５の両角部を内切込部２１に配置することができる。また、内切込部２１の基端縁部２１Ｂが左右方向（段方向）に沿って延設されていた。これにより、基端縁部２１Ｂが前外フラップ１５を前方に引き抜く方向に対して略直交するため、外切込部２４を内切込部２１に噛み合わせた状態で、前外フラップ１５を前方に引き抜き難くすることができる。
【００４１】
また、本実施形態に係る包装箱１では、一対の内フラップ１４が折り曲げられる前に、本体部１Ｂに被包装物Ｍが収容され、一対の内フラップ１４は、折り曲げられると本体部１Ｂに収容された被包装物Ｍに接触または近接する構成とした。この構成によれば、被包装物Ｍを包み込むように包装することができる。また、被包装物Ｍを本体部１Ｂに収容した状態であっても、内フラップ１４の後方を逆折線Ｌ６で開口部を開くように折り曲げることができる。これにより、被包装物Ｍを本体部１Ｂに収容した状態であっても、前外フラップ１５の角部を内切込部２１に進入させ、外切込部２４を内切込部２１に噛み合わせることができる。
【００４２】
また、本実施形態に係る包装箱１によれば、内フラップ１４に手掛け部２２が形成されているため、ユーザは手掛け部２２に手（指）を掛けて内フラップ１４の後方を容易に引き上げることができる。また、内フラップ１４に差込穴２０が開口することで内フラップ１４の剛性が弱められ、手掛け部２２は差込穴２０に対向する位置に形成されているため、内フラップ１４の後方を逆折線Ｌ６で逆折りし易くすることができる。これにより、内切込部２１と外切込部２４とを噛み合わせる作業を容易に行うことができる。
【００４３】
なお、本実施形態に係る包装箱１では、内切込部２１の基端縁部２１Ｂが概ね段方向と平行に延設されていたが、これに限らず、先端縁部２１Ａとは逆向きに傾斜していてもよい（図示せず）。また、本実施形態に係る包装箱１では、外切込部２４の外先端縁部２４Ａが傾斜していたが、これに限らず、概ね段方向と平行に延設されてもよい（図示せず）。さらに、内切込部２１の基端縁部２１Ｂと外切込部２４の外先端縁部２４Ａとが互いに平行に形成され（傾斜してもよいし、段方向と平行でもよい）、内切込部２１と外切込部２４とを噛み合わせた際に、基端縁部２１Ｂと外先端縁部２４Ａとが線接触（面接触）するようにしてもよい（図示せず）。
【００４４】
また、本実施形態に係る包装箱１では、内切込部２１が内フラップ１４を略三角形状に切り欠いて構成されていたが、本考案はこれに限定されない。例えば、内切込部２１は、内フラップ１４の自由端から基端に向かって直線状に延びた１本の切目であってもよい（図示せず）。これと同様に、外切込部２４は、前外フラップ１５の左右両端から中央に向かって直線状に延びた１本の切目であってもよい（図示せず）。
【００４５】
また、本実施形態に係る包装箱１では、逆折線Ｌ６が先端縁部２１Ａと突当り部２１Ｃとの交点と、差込穴２０の前端との間を結ぶように形成されていたが、本考案はこれに限定されない。例えば、逆折線Ｌ６は、基端縁部２１Ｂと突当り部２１Ｃとの交点から延びていてもよいし、突当り部２１Ｃの前後方向に中央から延びていてもよい（図示せず）。また、例えば、逆折線Ｌ６は、突当り部２１Ｃの近傍から差込穴２０の後端または中間まで延びていてもよい（図示せず）。
【００４６】
また、本実施形態に係る包装箱１では、内フラップ１４に差込穴２０が形成され、後外フラップ１６に差込片２５が形成されていたが、本考案はこれに限定されない。例えば、内フラップ１４を切り込んで差込片（図示せず）を形成し、その差込片を後外フラップ１６に開口した差込穴（図示せず）に差し込むようにしてもよい。また、差込穴２０や差込片２５は省略されてもよい（図示せず）。
【００４７】
また、本実施形態に係る包装箱１では、手掛け部２２が内フラップ１４の自由端部に凹設されていたが、これに限らず、手掛け部は内フラップ１４の自由端から凸設されてもよい（図示せず）。
【００４８】
また、本実施形態に係る包装箱１では、前外フラップ１５に一対の係合突起部２３が形成されていたが、本考案はこれに限定されない。一対の係合突起部２３を省略し、略四角形状の前外フラップ１５の先端側の左右両側に一対の外切込部２４が形成されてもよい（図示せず）。
【００４９】
また、本実施形態に係る包装箱１では、封緘した状態で、後外フラップ１６が前外フラップ１５の先端側に重なっていたが、本考案はこれに限定されない。後外フラップ１６は前外フラップ１５の略全部を覆うように形成されてもよいし、後外フラップ１６と前外フラップ１５との先端同士が突き合わせられるようにしてもよい（図示せず）。
【００５０】
また、本実施形態に係る包装箱１では、送り状Ｓを貼付することで、後外フラップ１６が前外フラップ１５に固定されていたが、本考案はこれに限定されない。例えば、後外フラップ１６は、接着剤、両面テープまたは粘着テープ等によって前外フラップ１５に固定されてもよい（図示せず）。
【００５１】
また、本実施形態に係る包装箱１を組み立てる際、被包装物Ｍが一対の内フラップ１４が折り曲げられる前に本体部１Ｂに収容されていたが、本考案はこれに限定されない。例えば、一対の内フラップ１４と前外フラップ１５とを仮止めした状態で、被包装物Ｍを本体部１Ｂに収容し、その後に後外フラップ１６を閉じてもよい。
【００５２】
また、本実施形態に係る包装箱１は、紙製の両面段ボールシートで形成されていたが、これに限らず、片面段ボールシートや複両面段ボールシート、または厚紙、若しくは樹脂製の板（シート）等で形成されていてもよい。また、包装箱１の型式、包装箱１の各部の寸法（幅、奥行き、高さ）や形状、段ボールシートの厚みや中しん９Ａが延びる方向等は自由に変更してもよい。
【００５３】
なお、上記実施形態の説明は、本考案に係る包装箱における一態様を示すものであって、本考案の技術範囲は、上記実施形態に限定されるものではない。本考案の技術範囲は、上記実施形態に限定されるものではない。本考案は技術的思想の趣旨を逸脱しない範囲において様々に変更、置換、変形されてもよく、実用新案登録請求の範囲は技術的思想の範囲内に含まれ得る全ての実施態様を含んでいる。
【符号の説明】
【００５４】
１      包装箱
１Ｂ    本体部
１４    内フラップ
１５    前外フラップ（外フラップ）
１６    後外フラップ（外フラップ）
２１    内切込部
２１Ａ  先端縁部
２１Ｂ  基端縁部
２１Ｃ  突当り部
２２    手掛け部
２４    外切込部
Ｌ６    逆折線
Ｍ      被包装物
【図１】
0003232979.tif 000003
【図２】
0003232979.tif 000004
【図３】
0003232979.tif 000005
【図４】
0003232979.tif 000006
【図５】
0003232979.tif 000007